(57)【特許請求の範囲】
【請求項１】
物干し竿等の被掛け体に掛けるためのフック部と、このフック部に吊り下げられたフレームと、このフレームに設けられた、洗濯物を吊すための吊り部とを備えた物干し具であって、
前記フレームの一部が平面視で前記フック部に向かって凹状に凹んで形成され、この凹部が、前記フック部を上方に挙げて被掛け体に掛ける際の腕の逃がし部を構成しており、
前記フレームは、前記凹部に設けられた一対のヒンジ部で前記フック部と反対側に折り畳むことができるとともに、前記フック部は前記一対のヒンジ部同士の間において設けられた軸部回りに回動可能に構成されかつ前記ヒンジ部に向けて倒すことが可能であり、かつ、前記凹部の凹ませ量が，該凹部の底部が，倒した状態のフック部の上部よりも前記軸部側に位置する凹ませ量であるとともに、前記軸部の高さが、フレームを折り畳んだ際の前記ヒンジ部の上面の高さと略一致していることを特徴とする物干し具。
【発明の詳細な説明】
【０００１】
【発明の属する技術分野】
本発明は、物干し具に関するものである。より詳しくは、物干し竿等の被掛け体に掛けるためのフック部と、このフック部に吊り下げられたフレームと、このフレームに設けられた、洗濯物を吊すための吊り部とを備えている物干し具に関するものである。
【０００２】
【従来の技術】
図８は従来の物干し具の一例を示す図で、（ａ）は平面図、（ｂ）は物干し竿等の被掛け体１に物干し具を掛ける際の状態を示す図である。
この物干し具は、物干し竿等の被掛け体１（図（ｂ）参照）に掛けるためのフック部２と、このフック部２にチェーン等の連結部材３で吊り下げられたフレーム４と、このフレーム４に設けられた、洗濯物Ｗを吊すためのピンチ等からなる吊り部５とを備えている。
このような物干し部によれば、図（ｂ）に示すように、フック部２を持ってこれを被掛け体１に掛け、洗濯物Ｗを干すことができる。
また、フレーム４には、ヒンジ部（回動軸部）４ａが設けられているので、不使用時には、ヒンジ部４ａで折り畳むことができる。
【０００３】
【発明が解決しようとする課題】
従来の物干し具では、例えば図８（ａ）に示すように、フレーム４が単なる矩形状となっていたので、図８（ｂ）に示すように、フック部２を上方に挙げて被掛け体１に掛ける際に、フレーム４が腕Ａにぶつかって掛けにくいという問題があった。
【０００４】
この発明の目的は、以上のような問題を解決し、被掛け体にフック部を掛け易い物干し具を提供することにある。
【０００５】
【課題を解決するための手段】
上記目的を達成するために請求項１記載の物干し具は、物干し竿等の被掛け体に掛けるためのフック部と、このフック部に吊り下げられたフレームと、このフレームに設けられた、洗濯物を吊すための吊り部とを備えた物干し具であって、
前記フレームの一部が平面視で前記フック部に向かって凹状に凹んで形成され、この凹部が、前記フック部を上方に挙げて被掛け体に掛ける際の腕の逃がし部を構成しており、
前記フレームは、前記凹部に設けられた一対のヒンジ部で前記フック部と反対側に折り畳むことができるとともに、前記フック部は前記一対のヒンジ部同士の間において設けられた軸部回りに回動可能に構成されかつ前記ヒンジ部に向けて倒すことが可能であり、かつ、前記凹部の凹ませ量が，該凹部の底部が，倒した状態のフック部の上部よりも前記軸部側に位置する凹ませ量であるとともに、前記軸部の高さが、フレームを折り畳んだ際の前記ヒンジ部の上面の高さと略一致していることを特徴とする。
【０００６】
【作用効果】
請求項１記載の物干し具は、物干し竿等の被掛け体に掛けるためのフック部と、このフック部に吊り下げられたフレームと、このフレームに設けられた、洗濯物を吊すための吊り部とを備えた物干し具であって、前記フレームの一部が平面視で前記フック部に向かって凹状に凹んで形成され、この凹部が、前記フック部を上方に挙げて被掛け体に掛ける際の腕の逃がし部を構成しているので、フック部を上方に挙げて被掛け体に掛ける際に、腕が前記凹部（逃がし部）に入り込む。
このため、フック部を上方に挙げて被掛け体に掛ける際に、フレームが腕にぶつからなくなるか、あるいはぶつかったとしてもその度合いが小さくなるので、掛け易くなる。
請求項２記載の物干し具によれば、請求項１記載の物干し具において、前記フレームは、前記凹部に設けられた一対のヒンジ部で前記フック部と反対側に折り畳むことができるとともに、前記フック部は前記ヒンジ部に向けて倒すことが可能であり、かつ、そのフック部の回動中心の高さが、フレームを折り畳んだ際の前記ヒンジ部の上面の高さと略一致しているので、折り畳み時の状態をコンパクトにすることができる。
請求項１記載の物干し具を、その不使用時における状態をコンパクトにすべく、フレームをその凹部に設けた一対のヒンジ部でフック部と反対側に折り畳むことができるようにし、かつ、フック部を前記ヒンジ部に向けて倒すことができるようにした場合において、仮に、そのフック部の回動中心の高さが、フレームを折り畳んだ際の前記ヒンジ部の上面の高さと大きく異なっているとすると、次のような問題が生じる。
すなわち、フック部の回動中心の高さが、フレームを折り畳んだ際の前記ヒンジ部の上面の高さに比べて低すぎると、フック部をヒンジ部に向けて倒した際に、フック部がヒンジ部と干渉してフック部の先端が大きく突出してしまう。
逆に、フック部の回動中心の高さが、フレームを折り畳んだ際の前記ヒンジ部の上面の高さに比べて高すぎると、フック部をヒンジ部に向けて倒した際に、フック部の回動中心が大きく突出してしまう。
これに対し、この請求項２記載の物干し具によれば、フック部の回動中心の高さが、フレームを折り畳んだ際の前記ヒンジ部の上面の高さと略一致しているので、フック部をヒンジ部に向けて倒した際に、フック部がヒンジ部と干渉してフック部の先端が大きく突出したり、あるいは逆にフック部の回動中心が大きく突出してしまうということがなくなり、結果として、折り畳み時の状態をコンパクトにすることができることとなる。
【０００７】
【発明の実施の形態】
以下、本発明の実施の形態について図面を参照して説明する。
図１は本発明に係る物干し具の一実施の形態を示す平面図、図２は同じく正面図、図３は同じく底面図、図４は図１におけるＡ−Ａ断面図、図５は折り畳み状態を示す部分側面図である。
【０００８】
これらの図に示すように、この物干し具は、物干し竿１（図６参照）等の被掛け体に掛けるためのフック部１０と、このフック部１０に吊り下げられたフレーム２０と、このフレーム２０に設けられた、洗濯物Ｗ（図６参照）を吊すための吊り部３０とを備えている。
【０００９】
フック部１０は、フック本体１１と、このフック本体１１に軸１２で回動可能に取り付けられたレバー１３とを備えている。
軸１２の回りにおいて、フック本体１１とレバー１３との間にはねじりコイルバネ１４が設けられており、このバネ１４の作用でレバー１３は図２において常時時計方向に付勢されているが、レバー１３に設けられた長穴１３ａがフック本体１１に設けられたピン１１ａと係合していることによって、その回動範囲が規制されている。
フック部１０を物干し竿１に掛ける際には、フック本体１１およびレバー１３を握って掛け、その後手を離すとレバー１３が上記バネ１４の作用で図２において時計方向に回動し、フック本体１１とレバー１３とで物干し竿１が挟まれることとなる。
【００１０】
フレーム２０は、フック部１０に対して第１，第２，第３の連結部材４１，４２，４３、４３を介して吊り下げられている。
フック部１０は、そのフック本体１１の下端に設けられた一対の対向するフック状の軸部１１ｂ、１１ｂで第１の連結部材４１に対して、図１および図５において矢印ａ、ａ方向に回動可能に連結されており、第１の連結部材４１は、その割ピン状の軸４１ａで第２の連結部材４２に対してその軸線回り（図１における矢印Ｂ、Ｂ方向）に回動可能に連結されている。
したがって、フック部１０はフレーム２０に対して矢印ａおよびＢ方向に回動可能である。
第３の連結部材４３は線状部材で、図１に示すように、平面視で略Ｙ字型に形成されており、その連結された基部４３ａ（図３参照）が、上記第２の連結部材４２に形成された一対の長穴４２ａに挿通されているとともに、一対の他端部４３ｂがフレーム２０の連結部２０ｂに連結されている。
【００１１】
図１に明示されるように、フレーム２０は、その一部（この実施の形態では平面視でフレーム２０の外郭（後記凹部２１が形成されていないとした場合の外郭）がフック部１０に対して最も近づいている部位であり、長方向中央部）２１、２１が、平面視でフック部１０に向かって凹状に凹んで形成され、この凹部２１が、図６に示すようにフック部１０を上方に挙げて被掛け体１に掛ける際の腕Ａの逃がし部を構成している。
凹部２１には、ヒンジ部２２が設けられており、フレーム２０はこのヒンジ部２２で、図５に示すようにフック部１０と反対側に（図２において矢印Ｃ側に）折り畳むことが可能である。
また、図５に示すように、フック部１０の回動中心、すなわち、軸部１１ｂの高さＨは、フレーム２０を折り畳んだ際のヒンジ部２２の上面２２ａの高さと略一致するように構成してある。より詳しくは、フック部１０の回動中心の高さＨは、フレーム２０を折り畳んだ際のヒンジ部２２の上面２２ａの高さに、フック部１０の肉厚Ｔの半分（Ｔ／２）を加えた高さとなるように、第１，第２の連結部材４１，４２を構成してある。
【００１２】
吊り部３０は、従来と同様、フレーム２０に連結されたピンチ３１で構成されている。
【００１３】
以上のような物干し具によれば次のような作用効果が得られる。
（ａ）物干し竿１等の被掛け体に掛けるためのフック部１０と、このフック部１０に吊り下げられたフレーム２０と、このフレーム２０に設けられた、洗濯物を吊すための吊り部３０とを備え、フレーム２０の一部２１が平面視でフック部１０に向かって凹状に凹んで形成され、この凹部２１が、フック部１０を上方に挙げて被掛け体１に掛ける際の腕Ａの逃がし部を構成しているので、例えば図６に示すようにフック部１０を上方に挙げて被掛け体１に掛ける際に、腕Ａが前記凹部（逃がし部）２１に入り込む（図１の仮想線Ａ参照）。
このため、フック部１０を上方に挙げて被掛け体１に掛ける際に、フレーム２０が腕Ａにぶつからなくなるか、あるいはぶつかったとしてもその度合いが小さくなるので、掛け易くなる。
（ｂ）フレーム２０は、凹部２１に設けられた一対のヒンジ部２２でフック部１０と反対側に折り畳むことができるとともに、フック部１０は図５に示すようにヒンジ部２２に向けて倒すことが可能であり、かつ、そのフック部１０の回動中心１１ｂの高さＨが、フレーム２０を折り畳んだ際のヒンジ部２２の上面２２ａの高さと略一致しているので、折り畳み時（例えば販売時）の状態をコンパクトにすることができる。
上述のような凹部２１を有する物干し具を、その不使用時における状態をコンパクトにすべく、フレーム２０をその凹部２１に設けた一対のヒンジ部２２でフック部１０と反対側に折り畳むことができるようにし、かつ、フック部１０をヒンジ部２２に向けて倒すことができるようにした場合において、仮に、そのフック部の回動中心１１ｂの高さＨが、フレーム２０を折り畳んだ際のヒンジ部２２の上面２２ａの高さと大きく異なっているとすると、次のような問題が生じる。
すなわち、例えば図５に一点鎖線で示すように、フック部１０’の回動中心１１ｂ’の高さＨ’が、フレーム２０を折り畳んだ際のヒンジ部２２の上面の高さに比べて低すぎると、フック部１０’をヒンジ部２２に向けて倒した際に、フック部１０’がヒンジ部２２と干渉してフック部１０の先端１０’ａが大きく突出してしまう。
逆に、例えば図５に二点鎖線で示すように、フック部の回動中心１１ｂ’’の高さＨ’’が、フレーム２０を折り畳んだ際のヒンジ部２２の上面２２ａの高さに比べて高すぎると、フック部をヒンジ部に向けて倒した際に、フック部の回動中心（基部）１１ｂ’’が大きく突出してしまう。
これに対し、この実施の形態の物干し具によれば、フック部１０の回動中心１１ｂの高さＨが、フレーム２０を折り畳んだ際のヒンジ部２２の上面２２ａの高さと略一致しているので、フック部１０をヒンジ部２２に向けて倒した際に、フック部１０がヒンジ部２２と干渉してフック部１０の先端が大きく突出したり、あるいは逆にフック部の回動中心１１ｂが大きく突出してしまうということがなくなり、結果として、折り畳み時の状態をコンパクトにすることができることとなる。
なお、図７に示すように、凹部２１を形成せず、したがって、ヒンジ部２２’がフレーム２０’の外側に位置するものにおいては、フック部１０をある程度（掴みやすいように）長くしてもヒンジ部２２’と干渉しないので、上のような問題は生じない。
【００１４】
以上、本発明の実施の形態について説明したが、本発明は上記の実施の形態に限定されるものではなく、本発明の要旨の範囲内において適宜変形実施可能である。
例えば、フレームの形状は、矩形に限らず、円形、楕円形等としてもよい。
【００１５】
【図面の簡単な説明】
【図１】本発明に係る物干し具の一実施の形態を示す平面図。
【図２】同じく正面図。
【図３】同じく底面図。
【図４】図１におけるＡ−Ａ断面図。
【図５】折り畳み状態を示す部分側面図。
【図６】作用説明図。
【図７】比較例を示す図。
【図８】（ａ）（ｂ）は従来技術の説明図。
【符号の説明】
１    物干し竿（被掛け体）
１０    フック部
２０    フレーム
３０    吊り部
２１    凹部（逃がし部）
Ａ    腕
２２    ヒンジ部
Ｈ    フック部の回動中心の高さ
【図１】
0004526166.tif 000002
【図２】
0004526166.tif 000003
【図３】
0004526166.tif 000004
【図４】
0004526166.tif 000005
【図５】
0004526166.tif 000006
【図６】
0004526166.tif 000007
【図７】
0004526166.tif 000008
【図８】
0004526166.tif 000009